(57)【要約】      （修正有）【課題】外観を損なうことなく容易にしかも確実に開閉操作や着脱操作ができるヘルメットのシールド取付構造を提供する。【解決手段】フェース部３を該ヘルメット本体２両側の取付部５に回転可能かつ着脱可能に取付けたヘルメット１の構造において、前記取付部５のシールド４側又はヘルメット本体側のいずれか一方に軸部材８、他方に該軸部材が嵌合する第１の回転ガイド９を設け、該軸部材又は第１の回転ガイドのいずれか一方に鍔部材１４、他方に該鍔部材が引つ掛かる係止片２１，２２を設け、ヘルメット本体に対し着脱させるための着脱ガイド１０を形成し、この着脱ガイドの端部近傍に、前記鍔部材が係止して軸部材を第１の回転ガイド９内に保持するためのストッパー突起２３を設け、前記取付部の回転中心部をシールドの外側から押圧することにより、シールドがヘルメット本体から取外し可能となる。【選択図】        図１
2004263319.tif 000002
【特許請求の範囲】
【請求項１】
ヘルメット本体前面のフェース部を開閉可能に覆うシールドを該ヘルメット本体両側の取付部に回転可能かつ着脱可能に取付けたヘルメットのシールド取付構造において、
前記取付部のシールド側又はヘルメット本体側のいずれか一方に軸部材、他方に該軸部材が嵌合する第１の回転ガイドを設け、
該軸部材又は第１の回転ガイドのいずれか一方に鍔部材、他方に該鍔部材が引っ掛かる係止片を設け、
前記第１の回転ガイドに連続して前記軸部材がスライドしてシールドをヘルメット本体に対し着脱させるための着脱ガイドを形成し、
この着脱ガイドの端部近傍に、前記シールドがヘルメット本体に装着された位置で前記鍔部材が係止して軸部材を第１の回転ガイド内に保持するためのストッパー突起を前記係止片に設け、
前記取付部の回転中心部をシールドの外側から押圧することにより前記鍔部材とストッパー突起との係合が外され、シールドがヘルメット本体から取外し可能となることを特徴とするヘルメットのシールド取付構造。
【請求項２】
前記取付部の外面は前記シールド単体のみで覆われたことを特徴とする請求項１に記載のヘルメットのシールド取付構造。
【請求項３】
前記第１の回転ガイドと同心円の円弧に沿って前記シールドの開閉動作をガイドする第２の回転ガイドをシールド側又はヘルメット本体側のいずれか一方に形成し、他方にこの第２の回転ガイドに沿ってスライドする爪部材を形成し、該爪部材が係止して摺動するガイド片を前記第２の回転ガイドに設けたことを特徴とする請求項１又は２に記載のヘルメットのシールド取付構造。
【請求項４】
前記第２の回転ガイドのガイド片の端部近傍に、シールドが閉じた位置で前記爪部材に係止してシールドを閉状態に保持するためのストッパー突起を有し、シールド閉状態で該シールドの取付部を外側から押圧することにより前記爪部材がストッパー突起から外れてシールドを開く方向に回転可能にすることを特徴とする請求項１、２又は３に記載のヘルメットのシールド取付構造。
【請求項５】
前記第１及び第２の回転ガイドを取付板上に一体成型してヘルメット本体と別体の取付部材を形成し、この取付部材をヘルメット本体の前記取付部に固定するとともに、この取付部材に対向する位置のシールドの内面に前記軸部材及び爪部材を設けたことを特徴とする請求項３又は４に記載のヘルメットのシールド取付構造。
【発明の詳細な説明】
【０００１】
【発明の属する技術分野】
本発明は、例えば自動二輪車に乗車するときに装着するヘルメットのシールド取付構造に関する。
【０００２】
【従来の技術】
ヘルメットの前面側に開口するフェース部はシールドにより開閉可能に覆われる。このシールドは、ヘルメット本体のフェース部両側の取付部に回転可能で且つ着脱可能に取付られる（例えば特許文献１参照）。
【０００３】
従来のヘルメットのシールド取付構造は、回転機構部や回転をロックしてシールドを閉位置に保持する機構及びその解除部が別々に形成され構成が複雑になるとともに、これらの取付部を別部品のカバー部材で覆っているため、部品点数が多くなって製造や組立てが面倒になり、また外観上も好ましくない。
【０００４】
【特許文献１】
特開平１０−７７５２０号公報
【０００５】
【発明が解決しようとする課題】
本発明は上記従来技術を考慮したものであって、構成を簡素化し外観を損なうことなく容易にしかも確実に開閉操作や着脱操作ができるヘルメットのシールド取付構造の提供を目的とする。
【０００６】
【課題を解決するための手段】
前記目的を達成するため、本発明では、ヘルメット本体前面のフェース部を開閉可能に覆うシールドを該ヘルメット本体両側の取付部に回転可能かつ着脱可能に取付けたヘルメットのシールド取付構造において、前記取付部のシールド側又はヘルメット本体側のいずれか一方に軸部材、他方に該軸部材が嵌合する第１の回転ガイドを設け、該軸部材又は第１の回転ガイドのいずれか一方に鍔部材、他方に該鍔部材が引っ掛かる係止片を設け、前記第１の回転ガイドに連続して前記軸部材が直線状にスライドしてシールドをヘルメット本体に対し着脱させるための着脱ガイドを形成し、この着脱ガイドの端部近傍に、前記シールドがヘルメット本体に装着された位置で前記鍔部材が係止して軸部材を第１の回転ガイド内に保持するためのストッパー突起を前記係止片に設け、前記取付部の回転中心部をシールドの外側から押圧することにより前記鍔部材とストッパー突起との係合が外され、シールドがヘルメット本体から取外し可能となることを特徴とするヘルメットのシールド取付構造を提供する。
【０００７】
この構成によれば、相互に嵌合して回転可能な軸部材と第１の回転ガイドによりシールドがヘルメット本体に対し回転可能に取付けられ、この第１の回転ガイドに連続して設けた着脱ガイドに沿ってシールドがスライドしてヘルメット本体に対し着脱可能になる。この軸部材又は第１の回転ガイドと一体形成した鍔部材及び係止片により軸部材及び第１の回転ガイド同士を軸方向に固定保持して簡単な構造により抜け止め機能が得られる。この第１の回転ガイドに連続して形成された着脱ガイドによりシールドを着脱操作するときに軸部材を回転ガイドに導入又は回転ガイドから取り出す。これにより、コンパクトな構成でシールドの回転構造と着脱構造を形成することができる。この着脱ガイド端部の回転ガイドとの間の境界部に形成されたストッパー突起により軸部材が第１の回転ガイド内に保持される。シールド取付部の外側からシールドを押圧することにより、ストッパー突起と鍔部材の係合が外れてシールドをヘルメット本体から取外し可能になる。これにより、簡単な構成で容易にシールドの着脱操作ができる。
【０００８】
好ましい構成例では、前記取付部の外面は前記シールド単体のみで覆われたことを特徴としている。
【０００９】
この構成によれば、本発明では、上記のように取付部の構成がコンパクトになっているため、取付部外面をシールド自体で覆うことにより、別部材のカバーを省略することができ、部品点数が減少して製造や組立てが容易にできる。
【００１０】
好ましい構成例では、前記第１の回転ガイドと同心円の円弧に沿って前記シールドの開閉動作をガイドする第２の回転ガイドをシールド側又はヘルメット本体側のいずれか一方に形成し、他方にこの第２の回転ガイドに沿ってスライドする爪部材を形成し、該爪部材が係止して摺動するガイド片を前記第２の回転ガイドに設けたことを特徴としている。
【００１１】
この構成によれば、上記のように軸部材と第１の回転ガイドが相互に回転してシールドを開閉動作させるとともに、ヘルメット本体又はシールドのいずれか一方にこの第１の回転ガイドと同軸の円弧に沿って第２の回転ガイドが形成され、他方に形成した爪部材がこれに沿ってガイドされてスライドするため、シールドの回転動作が確実にガイドされ不安定にならず堅固に保持された状態で円滑な回転動作が達成され、シールド開閉動作の操作感覚が向上する。
【００１２】
好ましい構成例では、前記第２の回転ガイドのガイド片の端部近傍に、シールドが閉じた位置で前記爪部材が係止してシールドを閉状態に保持するためのストッパー突起を有し、シールド閉状態で該シールドの取付部を外側から押圧することにより前記爪部材がストッパー突起から外れてシールドを開く方向に回転可能にすることを特徴としている。
【００１３】
この構成によれば、第２の回転ガイドに備わるストッパー突起に爪部材が係止してシールドを閉状態にロックするため、第１の回転ガイドより半径方向外側に位置する第２の回転ガイドにより、大きなモーメントで回転抑止力を作用させることができ、確実にシールドをロックすることができ、走行風等によりシールドが押し開かれることを確実に防止できる。
【００１４】
好ましい構成例では、前記第１及び第２の回転ガイドを取付板上に一体成型してヘルメット本体と別体の取付部材を形成し、この取付部材をヘルメット本体の前記取付部に固定するとともに、この取付部材に対向する位置のシールドの内面に前記軸部材及び爪部材を設けたことを特徴としている。
【００１５】
この構成によれば、第１及び第２の回転ガイドを例えばモールド成型等により取付板と一体に成型した取付部材をヘルメット本体に固定することにより、ヘルメット本体の成型作業が容易になるとともに、シールド取付部の組立て作業が容易にできる。
【００１６】
【発明の実施の形態】
図１は、本発明の実施形態に係るヘルメットのシールド全閉状態を示す側面図である。
ヘルメット１は、ヘルメット本体２と、その前面に開口するフェース部３を開閉可能に覆うシールド４とにより構成される。シールド４は、その左右両端（図は左端部のみを示す）がヘルメット本体２の取付部５に回転可能で且つ着脱可能に取付けられる。ヘルメット本体２には、２本のネジ７により取付部材６が固定され、この取付部材６が取付部５を形成する。取付部５の外面側は、シールド４のみで覆われ別体のカバーは備わらない。すなわち、取付部材６及びその周縁全体がシールド４のみで覆われる。これにより、滑らかに一体成型されたシールド４によりヘルメットの前面から側面全体を覆って外観を向上させるとともに、走行風に対する抵抗や空気の乱れ及び乱流による異音の発生を防止することができる。この場合、シールド４とヘルメット本体２の境界部の外面は滑らかな同一面とすることが望ましい。
【００１７】
シールド４の内面側には、後述のように、一対の軸部材８が形成される。この軸部材８が嵌合する第１の回転ガイド９が取付部材６に形成される。軸部材８の回転軸Ｃ１とヘルメット本体側の回転軸（第１の回転ガイド９の中心）Ｃ２は一致している。第１の回転ガイド９に連続してシールド４をスライドさせて着脱するための着脱ガイド１０が形成される。取付部材６にはさらに、後述のように、第１の回転ガイド９と同軸の円弧に沿って第２の回転ガイド１１が形成される。この第２の回転ガイドに係合する爪部材１５がシールド４に設けられる。シールド４は、第２の回転ガイド１１に設けた全閉側の係止凹み１２により後述のようにこの全閉位置に保持される。
【００１８】
図２は、図１のヘルメットのシールドの全開状態を示す側面図である。
図示したように、シールド４は回転軸Ｃ１，Ｃ２廻りに回転されて持ち上げられ、ヘルメット本体２のフェース部３が開く。シールド４は、第２の回転ガイド１１に設けた全開側の係止凹み１３により後述のようにこの全開位置に保持される。この状態から矢印Ａのようにシールド４をヘルメット本体２から引抜いて取り外すことができる。
【００１９】
図３は、シールドをヘルメット本体の取付部から外した状態の側面図である。
図示したように、シールド４の軸部材８がヘルメット本体２側の第１の回転ガイド９から外れ、着脱ガイド１０の端部に位置している。軸部材８の回転軸Ｃ１は、ヘルメット本体２側の回転軸である第１の回転ガイド９の回転軸（中心）Ｃ２からずれている。この状態から矢印Ｂのようにシールド４を押し込むことにより、軸部材８が着脱ガイド１０に沿ってスライドし、第１の回転ガイド９内に収まって図２の全開位置に装着される。
【００２０】
図４は、シールド４の端部内面側の斜視図である。図５は、図４のシールド端部をその外面側から見た構成説明図である。
樹脂モールド成型により、シールド４の端部に一対の軸部材８が形成される。この軸部材８，８同士は、同一円の対向する円弧部分により形成され、上端部の外縁側に鍔部材１４が形成される（図４）。この軸部材８よりも幾分内側（ヘルメット前面側）に断面略Ｌ字状の爪部材１５が一体に成型される。この爪部材１５の内面側に凸部１６が形成される。爪部材１５の背面にリブ１５ａが形成される。
【００２１】
図６は、取付部材の斜視図である。図７は、図６の取付部材の形状説明図である。
取付部材６は、取付板１８上に第１の回転ガイド９とこれに連続する着脱ガイド１０及び第２の回転ガイド１１を樹脂モールド成型で形成した一部品の一体成型品である。第１の回転ガイド９の中心部及び取付板１８の下端部の２ヵ所にネジ７（図１）用の取付孔１９が形成される。
【００２２】
第１の回転ガイド９は、内周面が略円形に形成されたガイド壁２０と、このガイド壁２０の上端部の内側に突出する係止片２１，２２とを有する。対向する２つの係止片２１，２１の着脱ガイド１０寄りの端部にストッパー突起２３が形成される。このガイド壁２０内にシールド４の軸部材８（図４）が嵌合し、軸部材８の回転動作中、その鍔部材１４が係止片２１，２２に引っ掛かって軸方向に相互に保持され抜け止めされる。
【００２３】
着脱ガイド１０は、シールド４の２つの軸部材８（図４）がスライドする２本のスライド溝１０ａからなる。軸部材８をこのスライド溝１０ａの端部に配置した状態（図３の状態）から軸部材８をスライド溝１０ａに沿ってスライドさせ、第１の回転ガイド９内に押し込む。これにより、シールド４が前述の図２の全開位置にセットされる。このとき、軸部材８の鍔部材１４がストッパー突起２３を乗り越えて第１の回転ガイド９内に収納されるため、軸部材８の回転動作中、この軸部材８は第１の回転ガイド９内に保持され抜け出ることはない。
【００２４】
第２の回転ガイド１１は、第１の回転ガイド９のガイド壁２０と同心円の円弧からなるガイド壁２４と、このガイド壁２４の内側の下面側に形成されたガイド溝２６と、ガイド壁２４に対向して形成されたガイド片２５とにより構成される。ガイド片２５の両端部には係止凹み１２，１３が形成される。ガイド片２５の奥側（係止凹み１２側）にストッパー突起２７が形成される。ガイド溝２６は、入口部２６ｂから終端部２６ｃまで連続して形成され、その中間部が凹んで一段低い段差部２６ａが形成される。
【００２５】
シールド４の爪部材１５（図４）がこの第２の回転ガイド１１のガイド溝２６内をスライドする。ガイド壁２４の入口部２６ｂ側の内面に、爪部材１５のリブ１５ａ（図５）が係止する突起（不図示）を設けて、シールドを開状態に保持する作用を付加してもよい。
【００２６】
シールド４をヘルメット本体２にセットする前の外れた状態では、図３に示すように、爪部材１５は、ガイド溝２６から外れた位置にある。この状態からシールド４を押し込んで（矢印Ｂ）ヘルメット本体２に取付けた全開位置では、図２に示すように、爪部材１５はガイド溝２６の入口部２６ｂに移動する。このとき、爪部材１５の凸部１６（図４）が、ガイド片２５の入口側の係止凹み１３に係止するため、シールド４は全開状態に保持される。
【００２７】
この状態からシールド４を閉じる方向に押し下げると、爪部材１５の屈曲した端部の端片１５ｂ（図５）がガイド片２５の下面（図６）を移動しながら、この爪部材１５の凸部１６がガイド片２５に摺接してガイドされる。このときさらに爪部材１５の背面側のリブ１５ａがガイド壁２４に摺接してガイドされるように形成してもよい。
【００２８】
シールド４を閉方向に回転させると、爪部材１５がガイド片２５端部のストッパー突起２７を乗り越えて終端部２６ｃに達する。この位置で爪部材１５の端片１５ｂがこのストッパー突起２７に係止するとともに、凸部１６が係止凹み１２に係止してシールド４が全閉状態に保持される。
【００２９】
シールド４を開く場合には、一旦シールド４を外側から押圧することにより、爪部材１５の端片１５ｂをストッパー突起２７から外して段差部２６ａ内にガイドして回転させる。これにより、爪部材１５がガイド溝２６内を開方向にスライドする。
【００３０】
なお、ストッパー突起２７は、左右いずれか一方の取付部材６にのみ形成してもよい。
【００３１】
図８は、シールドを外した状態の取付部の構成を示す。
この状態は、前述の図３のシールド取外し状態（シールド取付準備状態）と同じである。図示したように、シールド４の軸部材８が取付部材６の着脱ガイド１０の入口部に嵌め込まれ、爪部材１５は、ガイド溝２６の入口部２６ｂから僅かに外れた位置にある。
【００３２】
図９は、シールドの取付完了直前状態を示す。
図示したように、図８の状態からシールド４が矢印Ｂのようにスライドし、シールド４の軸部材８が第１の回転ガイド９に嵌り込む直前の位置に達し、爪部材１５がガイド溝２６の入口部２６ｂにほぼ達している。
【００３３】
図１０は、シールドの取付完了状態を示す。
この状態は、前述の図２のシールド全開状態と同じである。図示したように、シールド４の軸部材８が第１の回転ガイド９内に完全に嵌合し、爪部材１５は、その凸部１６がガイド片２５の係止凹み１３に係止してシールドが全開位置に保持されている。
【００３４】
図１１は、図１０の状態からシールドをある程度回転した状態を示す。
図示したように、シールド４を回転軸Ｃ１，Ｃ２を中心に矢印Ｄのように開く方向に回転させる。これにより、シールド４の軸部材８が第１の回転ガイド９内で回転するとともに、爪部材１５が第２の回転ガイド１１のガイド溝２６に沿って、入口部２６ｂから終端部２６ｃに向かってスライドする。
【００３５】
図１２は、シールドの爪部材がストッパー突起を乗り越す途中の状態を示す。
図示したように、シールド４の爪部材１５の端片１５ｂ（図４参照）がガイド片２５に形成したストッパー突起２７（図６参照）を乗り越える。
【００３６】
図１３は、シールドの爪部材がストッパー突起を乗り越えたシールド全閉状態を示す。
この状態は、前述の図１のシールド全閉状態と同じであり、爪部材１５はガイド溝２６の終端部２６ｃに達し、凸部１６がガイド片２５の係止凹み１２に嵌って全閉位置ロックされる。
【００３７】
図１４は、シールドの装着動作を順番に示す説明図である。分かり易くするために、図は前記各図のＤ−Ｄ断面をシールドを上側、ヘルメット本体を下側にして描いたものである。
【００３８】
（Ａ）は、シールド４の軸部材８（鍔部材１４）を着脱ガイド１０端部のガイド溝１０ａ上に配置した状態（図８の状態）である。
（Ｂ）は、（Ａ）の位置でシールド４を押圧して軸部材８を鍔部材１４とともにガイド溝１０ａ上に押し下げた状態を示す。
（Ｃ）は、軸部材８を押し下げた状態でガイド溝１０上をスライドさせ、係止片２１のストッパー突起２３通過させている状態（図９の状態）である。
（Ｄ）は、軸部材８の鍔部材１４がストッパー突起２３を乗り越えて第１の回転ガイド９内に嵌り込んだ状態（図１０の状態）である。
【００３９】
図１５は、シールド全閉状態から開く方向に操作するときの爪部材の動きを順番に示す説明図である。図は前記各図のＥ−Ｅ断面を示している。
（Ａ）は、シールド全閉状態（図１３の状態）を示す。シールド４の爪部材１５の端片１５ｂがガイド片２５のストッパー突起２７に係止してガイド溝２６の終端部２６ｃに乗り上げた全閉状態を示している。
（Ｂ）は、シールドを押圧しながら開く方向に回転させている状態（図１２の状態）を示す。図示したように、爪部材１５の端片１５ｂがガイド溝２６の段差部２６ａ上に押し下げられてストッパー突起２７を越える。
（Ｃ）は、爪部材１５がストッパー突起２７を乗り越えた後、そのままガイド溝２６に沿って開く方向にスライドしている状態（図１１の状態で逆方向にスライドしている状態）を示す。
【００４０】
図１６は、前記各図でのＣ−Ｃ断面での動作の説明図である。
（Ａ）は、シールド４の軸部材８を着脱ガイド１０の端部（図６参照）に嵌め合せてセットした状態（図８の状態）を示す。
（Ｂ）は、（Ａ）の位置でシールド４をヘルメット本体側に押圧した状態を示す。この押し下げた状態でシールド４をガイド溝１０ａ（図６参照）に沿ってスライドさせることにより、前述のように軸部材８がストッパー突起２３を乗り越えて第１の回転ガイド９内に嵌り込む。
【００４１】
【発明の効果】
以上説明したように、本発明では、相互に嵌合して回転可能な軸部材と第１の回転ガイドによりシールドがヘルメット本体に対し回転可能に取付けられ、この第１の回転ガイドに連続して設けた着脱ガイドに沿ってシールドがスライドしてヘルメット本体に対し着脱可能になる。この軸部材又は第１の回転ガイドと一体形成した鍔部材及び係止片により軸部材及び第１の回転ガイド同士を軸方向に固定保持して簡単な構造により抜け止め機能が得られる。この第１の回転ガイドに連続して形成された着脱ガイドによりシールドを着脱操作するときに軸部材を回転ガイドに導入又は回転ガイドから取り出す。これにより、コンパクトな構成でシールドの回転構造と着脱構造を形成することができる。この着脱ガイド端部の回転ガイドとの間の境界部に形成されたストッパー突起により軸部材が第１の回転ガイド内に保持される。シールド取付部の外側からシールドをヘルメット本体側に押圧することにより、ストッパー突起と鍔部材の係合が外れてシールドをヘルメット本体から取外し可能になる。これにより、簡単な構成で容易にシールドの着脱操作ができる。
【００４２】
また、前記取付部の外面は前記シールド単体のみで覆われた構成によれば、本発明では、上記のように取付部の構成がコンパクトになっているため、取付部外面をシールド自体で覆うことにより、別部材のカバーを省略することができ、部品点数が減少して製造や組立てが容易にできる。
【００４３】
また、前記第１の回転ガイドと同心円の円弧に沿って前記シールドの開閉動作をガイドする第２の回転ガイドをシールド側又はヘルメット本体側のいずれか一方に形成し、他方にこの第２の回転ガイドに沿ってスライドする爪部材を形成し、該爪部材が係止して摺動するガイド片を前記第２の回転ガイドに設けた構成によれば、上記のように軸部材と第１の回転ガイドが相互に回転してシールドを開閉動作させるとともに、ヘルメット本体又はシールドのいずれか一方にこの第１の回転ガイドと同軸の円弧に沿って第２の回転ガイドが形成され、他方に形成した爪部材がこれに沿ってガイドされてスライドするため、シールドの回転動作が確実にガイドされ不安定にならず堅固に保持された状態で円滑な回転動作が達成され、シールド開閉動作の操作感覚が向上する。
【００４４】
また、前記第２の回転ガイドのガイド片の端部近傍に、シールドが閉じた位置で前記爪部材が係止してシールドを閉状態に保持するためのストッパー突起を有し、シールド閉状態で該シールドの取付部を外側から押圧することにより前記爪部材がストッパー突起から外れてシールドを開く方向に回転可能にする構成によれば、第２の回転ガイドに備わるストッパー突起に爪部材が係止してシールドを閉状態にロックするため、第１の回転ガイドより半径方向外側に位置する第２の回転ガイドにより、大きなモーメントで回転抑止力を作用させることができ、確実にシールドをロックすることができ、走行風等によりシールドが押し開かれることを確実に防止できる。
【００４５】
また、前記第１及び第２の回転ガイドを取付板上に一体成型してヘルメット本体と別体の取付部材を形成し、この取付部材をヘルメット本体の前記取付部に固定するとともに、この取付部材に対向する位置のシールドの内面に前記軸部材及び爪部材を設けた構成によれば、第１及び第２の回転ガイドを例えばモールド成型等により取付板と一体に成型した取付部材をヘルメット本体に固定することにより、ヘルメット本体の成型作業が容易になるとともに、シールド取付部の組立て作業が容易にできる。
【図面の簡単な説明】
【図１】本発明の実施形態のシールド全閉状態のヘルメットの側面図。
【図２】図１のヘルメットのシールドの全開状態を示す側面図。
【図３】シールドをヘルメット本体の取付部から外した状態の側面図。
【図４】シールドの端部内面側の斜視図。
【図５】図４のシールド端部をその外面から見た構成説明図。
【図６】取付部材の斜視図。
【図７】図６の取付部材の形状説明図。
【図８】シールドを外した状態の取付部の構成図。
【図９】シールドの取付完了直前状態を示す構成図。
【図１０】シールドの取付完了状態を示す構成図。
【図１１】図１０の状態からシールドをある程度回転した状態を示す構成図。
【図１２】シールドの爪部材がストッパー突起を乗り越す途中状態の説明図。
【図１３】シールドの爪部材がストッパー突起を乗り越えたシールド全閉状態を示す説明図。
【図１４】シールドの装着動作を順番に示す説明図。
【図１５】シールド全閉状態から開く方向に操作するときの爪部材の動きを順番に示す説明図。
【図１６】装着ガイド部分の動作説明図。
【符号の説明】
１：ヘルメット、２：ヘルメット本体、３：フェース部、４：シールド、
５：取付部、６：取付部材、７：ネジ、８：軸部材、９：第１の回転ガイド、
１０：着脱ガイド、１０ａ：ガイド溝、１１：第２の回転ガイド、
１２：全閉側の係止凹み、１３：全開側の係止凹み、１４：鍔部材、
１５：爪部材、１５ａ：リブ、１５ｂ：端片、１６：凸部、
１７：型抜き用の孔、１８：取付板、１９：取付孔、２０：ガイド壁、
２１，２２：係止片、２３：ストッパー突起、２４：ガイド壁、
２５：ガイド片、２６：ガイド溝、２６ａ：段差部、２６ｂ：入口部、
２６ｃ：終端部、２７：ストッパー突起、
Ｃ１：シールドの回転軸、Ｃ２：ヘルメット本体の回転軸。
【図１】
2004263319.tif 000003
【図２】
2004263319.tif 000004
【図３】
2004263319.tif 000005
【図４】
2004263319.tif 000006
【図５】
2004263319.tif 000007
【図６】
2004263319.tif 000008
【図７】
2004263319.tif 000009
【図８】
2004263319.tif 000010
【図９】
2004263319.tif 000011
【図１０】
2004263319.tif 000012
【図１１】
2004263319.tif 000013
【図１２】
2004263319.tif 000014
【図１３】
2004263319.tif 000015
【図１４】
2004263319.tif 000016
【図１５】
2004263319.tif 000017
【図１６】
2004263319.tif 000018